(57)【要約】【課題】本発明は、洗浄、乾燥、脱水の全工程においてが良好な運転が可能となるドラム式洗濯機を提供することを目的とする。【解決手段】外枠筐体内に設けられ、洗濯水やすすぎ水を溜める円筒形状の外槽と、前記外槽内に回転自在に設けられ、回転軸中心線を横にした洗浄ドラム槽と、前記洗浄ドラム槽の内周に設けられ、洗浄ドラム内の洗濯物を掻き上げては落とすリフターと、前記洗浄ドラム槽を回転駆動する電動機と、を有し、前記リフターは、ドラム内周面から回転中心側に向かって隆起した部分の頂部を通る中心線とドラム回転軸とが成す角度は、１度以上９０度未満となるような形状を有することを特徴とするドラム式洗濯機を提供する。【選択図】図４
2016198174.tif 000002
【特許請求の範囲】
【請求項１】
外枠筐体内に設けられ、洗濯水やすすぎ水を溜める円筒形状の外槽と、前記外槽内に回転自在に設けられ、回転軸中心線を横にした洗浄ドラム槽と、前記洗浄ドラム槽の内周に設けられ、洗浄ドラム内の洗濯物を掻き上げては落とすリフターと、前記洗浄ドラム槽を回転駆動する電動機と、を有し、
前記リフターは、ドラム内周面から回転中心側に向かって隆起した部分の頂部を通る中心線とドラム回転軸とが成す角度は、１度以上９０度未満となるような形状を有することを特徴とするドラム式洗濯機。
【請求項２】
請求項１記載のドラム式洗濯機において、
前記頂部の高さは、前記ドラム回転軸の方向の前側及び後側が前記リフターの略中間部よりも低いことを特徴とするドラム式洗濯機。
【請求項３】
請求項１記載のドラム式洗濯機において、
前記リフターの頂部は回転軸方向前側及び後側の高さが同じあることを特徴とするドラム式洗濯機。
【発明の詳細な説明】
【技術分野】
【０００１】
本発明は、ドラム式洗濯機に関する。
【０００２】
本発明には、洗濯から乾燥まで通して行う洗濯乾燥機が含まれる。
【背景技術】
【０００３】
衣類が落下する時のエネルギーを利用するたたき洗いを主な洗い方とするドラム式洗濯機において、衣類を持ち上げるためのリフター（バッフル）をドラム回転軸中心線と並行に複数個配置するのが一般的である。
【０００４】
従来の知見からすれば、洗濯時の洗いムラを抑制するためには前後の衣類入れ替え動作を促進させる形状、例えば特開２００６−７５４７９（特許文献１）に示されるようなものが知られている。また、乾燥時の乾きムラを抑制するためには、ドラム背面に衣類が引っ掛かるような形状が少ないリフター形状が好ましいことが知られている。また、脱水運転時の特に少ない衣類での起動成功率を向上させるためには、特開２００９−０４５３７９（特許文献２）に示されるような形状が知られている。また、従来の知見として、衣類がドラム背面側にある方が脱水起動の成功率は向上することが知られており、脱水に関しては衣類を後方へと移動させるようなリフターが好ましい。
【先行技術文献】
【特許文献】
【０００５】
【特許文献１】特開２００６−７５４７９
【特許文献２】特開２００９−０４５３７９
【発明の概要】
【発明が解決しようとする課題】
【０００６】
しかしながら、特許文献１、２においては、洗濯時、乾燥時、脱水時、それぞれに効果的なリフター形状は示されているものの、全ての工程において有利となるリフター形状はこれまでに示されていない。ゆえに、リフターの形状によっては洗濯時には有利であっても乾燥時には不利となる、また、乾燥時に有利であっても脱水時には不利となることは避けられない状況であった。
【０００７】
本発明は、上記の問題に鑑みて、洗濯時、乾燥時、脱水時の全ての工程において性能向上を実現できるリフターを有するドラム式洗濯機を提供することを目的とする。
【課題を解決するための手段】
【０００８】
本発明は、ドラム式洗濯機において、外枠筐体内に設けられ、洗濯水やすすぎ水を溜める円筒形状の外槽と、前記外槽内に回転自在に設けられ、回転軸中心線を横にした洗浄ドラム槽と、前記洗浄ドラム槽の内周に設けられ、洗浄ドラム内の洗濯物を掻き上げては落とすリフターと、前記洗浄ドラム槽を回転駆動する電動機と、を有し、前記リフターは、ドラム内周面から回転中心側に向かって隆起した部分の頂部を通る中心線とドラム回転軸とが成す角度は、１度以上９０度未満となるような形状を有することを特徴とする。
【発明の効果】
【０００９】
本発明によれば、洗濯時、乾燥時、脱水時の全ての工程において性能向上を実現できるリフターを有するドラム式洗濯機を提供できる。
【図面の簡単な説明】
【００１０】
【図１】本発明の実施例に係わるもので、ドラム式洗濯機の概要を示す図である。
【図２】本発明の実施例に係わるもので、洗浄ドラムを投入口側から見た図である。
【図３】本発明の実施例に係わるもので、リフターを示す図である
【図４】本発明の実施例に係わるもので、洗浄ドラムと衣類の動きを示す図である。
【図５】本発明の実施例に係わるもので、洗浄ドラム槽の底面側に衣類が引っ掛かっている状態を示す図である。
【図６】本発明の実施例に係わるもので、洗浄ドラム槽の底面とリフターとの間に衣類がある状態を示す図である。
【図７】本発明の実施例に係わるもので、洗濯運転工程示す図である。
【図８】本発明の実施例に係わるもので、ブロック回路図である。
【発明を実施するための形態】
【００１１】
本発明の実施例について、図面を引用して説明する。
【００１２】
まず、図１を引用してドラム式洗濯機の概要から述べる。
【００１３】
ドラム式洗濯機は、外枠筐体１の内側に有底円筒形状の外槽２を有する。
【００１４】
外槽２は、複数個のサスペンション３により下方から支持される。また外槽２は、その上部から引きバネ４により吊り下げ支持される。
【００１５】
サスペンション３は、外槽２を含むほぼ全重量を支持するものであり、強固な弾性支持構成を有し、外枠筐体１の外枠ベース２０に固定されている。特に脱水運転時に生じる外槽２の強い上下振動を吸収し、脱水起動時に発生する外槽２の異常振動を防止するための減衰機構などが設けられている。
【００１６】
サスペンション３の取付け位置は、特に脱水時の振動を低減する目的において外槽２のほぼ重心位置もしくは重心位置に対し前後５０ｍｍ範囲内に設けられる。
【００１７】
外槽２は、後端側が下になるように傾斜して設けられているので、サスペンション３を後側に位置させると、サスペンション３の高さが低くなり、サスペンション３のストロークが少なくなる。
【００１８】
このため、サスペンションの減衰機能を維持する上で、サスペンション３の取付け位置は外槽２のほぼ中心側に位置した方が、後方に位置するよりも望ましい。
【００１９】
また、外槽２の上部から吊り下げ支持する引きバネ４は、外槽２の倒れ防止のために設けられているサンスペンション３の補助的な支持機構である。
【００２０】
外枠筐体１の上側内部には、給水電磁弁６、洗剤投入ケース８が設けられる。洗剤投入ケース８は、注水ホース７を介して給水電磁弁６と連通するように接続される。
【００２１】
給水電磁弁６には、給水ホース５が接続される。給水ホース５の先端は水道の蛇口（図示せず）に接続される。
【００２２】
洗濯やすすぎ時には、給水電磁弁６が開放操作され、注水ホース７から洗剤投入ケース８に洗濯やすすぎに必要な水が供給される。
【００２３】
洗剤投入ケース８には、洗濯に必要な洗剤が投入される。
【００２４】
また、すすぎ時に、洗濯物９の仕上がりを良くするための柔軟仕上げ剤が洗剤投入ケース８に設けられた仕上げ剤を溜めるケース部に投入され、必要に応じ外槽２に自動的に投入される。
【００２５】
すなわち、洗濯時に、注水ホース７から供給された水により、洗剤投入ケース８内で洗剤が溶かされ、フレキシブルホース１０を流れ、外槽２の上部に設けた注入口２４から洗浄ドラム槽１１の内部に投入される。
【００２６】
注入口２４は、溶けた洗剤が洗浄ドラム槽１１の入り口から奥まで散布されるような向きに配置されている。
【００２７】
洗浄ドラム槽１１は、外槽２に回動自在に内置される。前側に投入口が設けられた有底円筒形を有する洗浄ドラム槽１１は、前端を外枠筐体１の前側に向け、後端を外枠筐体１の後側に向けるように配置される。
【００２８】
洗浄ドラム槽１１が内置される外槽２も外枠筐体１の前側に向け、後端を外枠筐体１の後側に向けるように配置される。
【００２９】
外槽２と洗浄ドラム槽１１は、円筒形の軸心線が同心になるように置かれ、且つ、洗浄ドラム槽１１の投入口１１ａと外槽２の投入口１１ｂが外枠筐体１の前側に設けられている投入口１１ｃに臨むように配置される。
【００３０】
外槽２と洗浄ドラム槽１１は、投入口が設けられている前端側の方を上に、後端側の方を下になるように傾斜させて配置される。この傾き角度（水平線に対する軸心線の角度）θ１は約１０度である。洗濯物９の取り出し易さに関しては１５〜３０度程度の傾き角度が望ましいが、乾燥性能に関しては５〜１５度程度が望ましいため、適宜５〜３０度の範囲内で傾き角度θ１を選択できる。
【００３１】
外枠筐体１は、投入口１１ｃを開閉される外蓋１２が備えられる。洗浄ドラム槽１１に洗濯物の出し入れする際に外蓋１２の開閉が行なわれる。
【００３２】
ベローズ２１は、外枠筐体１の投入口１１ｃの口縁部と、外槽２の投入口１１ｂの内縁部に水密的に取付けられる。このゴム（弾性体）で出来ているベローズ２１により、外枠筐体１と外槽２の間の水密は保たれる。
【００３３】
外蓋１２は、内側がベローズ２１に密着するので、外枠筐体１の投入口１１ｃから外部への漏水は生じない。
【００３４】
洗浄ドラム槽１１は、バランサー１３を有する。バランサー１３の内周側が前述した投入口１１ａになっている。このバランサー１３により、脱水時の振動は低減される。
【００３５】
また、洗浄ドラム槽１１は、円筒部に複数の脱水穴１４を有する。脱水時に、洗濯物に含まれている水分が脱水穴１４により遠心力で外槽２内に脱水される。
【００３６】
図２に示すように、洗浄ドラム槽１１の円筒部には、内周に複数（３本）のリフター１６が設けられる。また図３に示すように、このリフター１６のドラム内周に接触する面の軸中心１６ａはドラム回転軸中心線と平行に配置されている。リフター１６のドラム内周面から回転中心側に向かって隆起した部分の頂部の高さは、回転軸方向前側の高さ１６ｃ及び後側の高さ１６ｅがリフター１６の略中間部の高さ１６ｄよりも低く、且つ、前記頂部を通る中心線１６ｂと前記ドラム回転軸（軸中心１６ａ）とが成す角度（θ２）は、１度以上９０度未満となるような形状を有している。本実施例ではθ２は約１０度としている。
【００３７】
この形状によって得られる効果について図３、４、５を引用して説明する。まず、図３に示す前記頂部を通る中心線１６ｂと前記ドラム回転軸（軸中心１６ａ）がある一定の角度を成すことにより、図４−ａに示すように、ドラム正転時（反時計回り）には衣類は奥へ移動しやすくなり、図４−ｂに示すように、ドラム反転時（時計回り）には衣類は手前に移動しやすくなる。これにより洗濯時の洗いムラや乾燥時の乾きムラを低減することが出来る。
【００３８】
しかしながら、前記リフター頂部高さを上げるほどに衣類の前後移動がし易くなる反面、特に回転軸方向後ろ側の高さが高くなると、図５の如く、乾燥運転時において底面との間隙が少なくなることから衣類の引っ掛かりが発生し易くなり、かえって乾きムラを誘発することになる。
【００３９】
さらには、脱水運転時の衣類貼り付け工程においても、特に少量の、例えば０．５〜２ｋｇ程度の衣類を脱水する際、リフターに引っ掛かり易くなるとアンバランスの調整が困難となり、脱水起動の成功率が低下し運転時間の増加が懸念される。
【００４０】
本実施例によれば、図３に示すように、リフター１６の頂部高さは回転軸方向前側の高さ１６ｃ及び後側の高さ１６ｅが中間部の高さ１６ｄよりも低くすることにより前記の課題を解決することが出来る。
【００４１】
また、リフター１６の回転軸方向後側の高さ１６ｅを中間部１６ｄよりも低くすることによって、図６のように、少量の衣類が片寄り易いドラム奥側におけるドラム底面とリフター１６との間隙が広がり、乾燥時及び脱水起動時には衣類の引っ掛かりを抑制することができ、乾きムラの低減や脱水起動成功率の向上が可能となる。加えて、リフター１６の回転軸方向中間部の高さは十分に確保しているため、洗濯時の衣類の前後入れ替え効果が低下することはなく、回転軸方向前側の高さ１６ｃが低いことにより、さらにその効果を高めている。
【００４２】
本実施例においては、リフターの頂部高さ１６ｃ、１６ｄ、１６ｅの関係を次のように設定している。１６ｃ＜１６ｄ、且つ、１６ｄ＞１６ｅ、且つ、１６ｃ＝１６ｅとしている。なお、１６ｃ≠１６ｅであってもよい。
【００４３】
ＤＣブラシレスモータ１９は、外槽２の後部外面に取付け固定される。このＤＣブラシレスモータ１９は、洗浄ドラム槽１１を回転駆動する駆動源である。
【００４４】
洗浄ドラム槽１１は、円筒部の底側である後端にフランジ１７を有する。フランジ１７に設けた主軸１８は電動機であるＤＣブラシレスモータ１９のロータ側に結合される。こうして、洗浄ドラム槽１１は、駆動源のＤＣブラシレスモータ１９を介して外槽２に回転自在に支持される。
【００４５】
排水路の排水ホース２３は、外槽２の後下部に連通するように設けられる。この排水路には、排水電磁弁２２が設けられる。排水電磁弁２２を開放操作することにより、外槽２に溜まっている洗濯水３０やすすぎ水は、排水ホース２３を通じて機外に排水される。
【００４６】
排水路の排水ホース２３は、外枠ベース２０を貫通して下流側の先端は家屋の排水穴に挿入される。
【００４７】
洗濯機の運転工程について、図７を引用して説明する。
【００４８】
この運転工程は洗濯物に付着した汚れを落としたり、すすぎで洗剤分をすすいだりリントを除去したりする。また洗濯物に含まれた洗浄水を洗浄ドラム槽１１の回転により脱水穴１４から遠心力で脱水し、排水することを自動的に行う自動洗濯運転工程を示す。
【００４９】
最初に給水電磁弁６がオンして給水Ｓ１０１が行なわれる。給水は、所定の水量まで行われる。
【００５０】
洗いＳ１０２では洗濯に必要な洗濯水が供給されると、ＤＣブラシレスモータ１９が回転して洗浄ドラム槽１１が回され、洗濯が行なわれる。ＤＣブラシレスモータ１９を正逆転するように制御することにより、洗浄ドラム槽１１は正転／逆転を繰返す洗濯運転が行なわれる。
【００５１】
洗いＳ１０２が終了すると、排水電磁弁２２が開かれ、洗濯水は排水ホース２３を通じて機外に排水される（Ｓ１０３）。
【００５２】
排水Ｓ１０３が終了した後、洗濯物に含まれている洗剤分を脱水する脱水（１）Ｓ１０４に移行する。
【００５３】
脱水（１）Ｓ１０４では洗濯槽３を高速回転して、遠心力により洗濯槽３内に開けられた脱水穴１４を通して洗濯物に含まれた洗濯水を脱水する。
【００５４】
脱水（１）Ｓ１０４が終了すると、洗濯物に含まれた洗剤分をすすぐ、すすぎ（１）Ｓ１０６へと移行する。
【００５５】
すすぎ（１）Ｓ１０６は、給水Ｓ１０５が完了してから実行される。すすぎ（１）Ｓ１０６が終了すると、排水Ｓ１０７、脱水（２）Ｓ１０８が行われ、すすぎ（１）と同様に給水Ｓ１０９が行われる。そして、すすぎ（２）Ｓ１１０、排水Ｓ１１１、最終脱水Ｓ１１２を経て全工程が終了する。
【００５６】
洗濯後に乾燥が実行されるようにセットされていると、引き続き乾燥工程Ｓ１１３が行われて終了Ｓ１１４に至る。
【００５７】
ブロック回路図の概要について、図８を引用して説明する。
【００５８】
図３は、洗い、すすぎ、脱水に至るまでの工程を制御するブロック制御回路を示したものである。
【００５９】
制御回路基板９９は、クロックパルス発生手段のタイマー１００、中央処理装置（ＣＰＵ）１０１、メモリ１０２、入力ポート１０３、出力ポート１０４などから構成されている。
【００６０】
中央処理装置１０１は、演算部１０５や制御部１０６を有する。
【００６１】
洗濯機は、中央処理装置６２、タイマー６３およびメモリ６４との間でデータのやりとりをして駆動される。
【００６２】
中央処理装置（ＣＰＵ）１０１は、基本的には制御命令の取り出しと解読、実行指令であるが、具体的には算術演算やメモリ指定アドレス内容の読み出しで制御、入出力装置への指定アドレスの入出力や全自動コースやアニュマル設定のプログラムの制御を行う。
【００６３】
メモリ１０２には、プログラムデータを読み出して書き込みを行う機能を持つＲＡＭ１０７と読み出し専用機能だけを持つＲＯＭ１０８の２種類を備えている。ＲＡＭ１０７は洗濯運転条件に必要なデータを主に記憶して、設定されたプログラムを組む上での作業エリアとして用いる。
【００６４】
ＲＯＭ１０８は、決ったプログラムや固定データを入れ、いつでも同じ処理をする場合に使用する。
【００６５】
入力ポート１０３は、中央処理装置（ＣＰＵ）１０１と入力回路部１０５の間に介在してデータの受け渡しを行う。また、出力ポート１０４は、中央処理装置（ＣＰＵ）１０１と出力駆動回路部１０６の間に介在してデータの受け渡しを行う。
【００６６】
入力回路部１１６には、電源スイッチ１０７、水位センサー１０８、ホールＩＣ１０９、蓋開閉センサー１１０、全自動選択キー１１１、マニュアル設定キー１１２、スタートストップキー１１３、布量センサー１１４、湿度センサー１１５が接続される。
【００６７】
出力駆動回路部１１７には、ＤＣブラシレスモータ１９、給水電磁弁６、排水電磁弁２２、蓋ロックソレノイド４０、終了ブザー３１などが接続される。
【００６８】
洗浄ドラム槽１１は、図４に示すような構成を有する。
【００６９】
円筒状の洗浄ドラム槽１１は、回りに多数の脱水穴１４を有し、洗濯物９の遠心脱水を行う。洗浄ドラム槽１１の側板は、投入口１１ａを有する。この投入口１１ａより洗濯物９は出し入れが行われる。
【符号の説明】
【００７０】
１…外枠筐体、２…外槽、１１…洗浄ドラム槽、Ｏ…回転軸心線、１６…リフター、１
９…電動機、ＸＯ…水平基準軸線、１６Ｃ…掻き揚げ側壁部、ＹＯ…垂直基準軸線。
【図１】
2016198174.tif 000003
【図２】
2016198174.tif 000004
【図３】
2016198174.tif 000005
【図４】
2016198174.tif 000006
【図５】
2016198174.tif 000007
【図６】
2016198174.tif 000008
【図７】
2016198174.tif 000009
【図８】
2016198174.tif 000010